(57)【特許請求の範囲】
【請求項１】
ナットまたはボルトの頭の多角形の輪郭（１３）における角領域（１５）にトルクを伝達するために当該角領域（１５）と部分的に接触する側面（５）で構成される第１の窪み部分と、ナットまたはボルトの頭の平らな側面にトルクを伝達するために当該頭の平らな側面に接触する平らな面である顎部分（７’）とを備える２つの対向部分が、一方の主面側に向かい合って配置されて開口を形成するヘッド（１）と、
前記ヘッドの他方の主面の凹部に置かれており、ナットまたはボルトの頭の多角形の輪郭（１３）における角領域（１５）が前記第１の窪み部分に挿入されるとき背面が当該ナットまたはボルトの頭の端面の一部（１６）に当接して当該ナットまたはボルトを停止させる停止部としての役目を果たす第１の面（４）として機能し、ナットまたはボルトの頭の平らな側面にトルクを伝達するために当該頭の平らな側面に接触する平らな面である平行チーク（７）を備える２つの対向部分が向かい合って配置されて開口を形成するスチールプレート（１２）と、
を備え、
前記ヘッドの各対向部分と前記スチールプレートの各対向部分とがオープンエンドレンチの開口を形成し、各前記顎部分（７’）と各前記平行チーク（７）とがナットまたはボルトの頭の対向する２つの平らな側面にトルクを伝達する、
ことを特徴とするレンチ。
【請求項２】
前記多角形の輪郭（１３）が六角形の輪郭であり、
前記スチールプレート（１２）が、ナットまたはボルトの頭の対向する２つの平らな側面と各前記顎部分（７’）および各前記平行チーク（７）とが接触するように当該ナットまたはボルトの頭が前記オープンエンドレンチの開口から挿入されるとき当該頭の各平らな側面に隣接する各別の平らな側面にそれぞれ接触し、当該各別の平らな側面にトルクを伝達する平らな面である２つの別のチーク（１０）を、前記オープンエンドレンチの開口に対向する底部に備え、
前記ヘッド（１）が、前記オープンエンドレンチの開口に対向する底部において各前記別のチーク（１０）の中ほどに相当する位置に、前記第１の窪み部分と共に前記六角形の輪郭（１３）における角領域（１５）にトルクを伝達するために当該角領域（１５）と部分的に接触する２つの側面（８）で構成される第２の窪み部分を有し、
前記スチールプレート（１２）の背面が、ナットまたはボルトの頭の多角形の輪郭（１３）における角領域（１５）が各前記第２の窪み部分に挿入されるとき当該ナットまたはボルトの頭の端面の一部（１６）に当接して当該ナットまたはボルトを停止させる停止部としての役目を果たす第２の面（４’）として機能する、
ことを特徴とする請求項１に記載のレンチ。
【請求項３】
前記ヘッド（１）と一体化された作動アーム（２）を備える、
ことを特徴とする請求項１または２に記載のレンチ。
【請求項４】
前記スチールプレート（１２）の材料が、５０ＨＲＣ以上の硬度の硬化鋼であり、
前記ヘッド（１）と前記作動アーム（２）を形成する本体の材料の硬度が、３５から４９ＨＲＣである、
ことを特徴とする請求項３に記載のレンチ。
【請求項５】
前記スチールプレート（１２）が、力によるはめ込み、ボンディング、押し込み、ねじ留め、リベット留め、接着ボンド、または溶接によって前記ヘッド（１）に固定されることを特徴とする請求項１ないし４のいずれか１項に記載のレンチ。
【請求項６】
前記スチールプレート（１２）が、前記ヘッド（１）から取り外し可能であることを特徴とする請求項１ないし４のいずれか１項に記載のレンチ。
【請求項７】
前記スチールプレート（１２）の厚さが、前記ヘッド（１）の厚さの半分であることを特徴とする請求項１ないし６のいずれか１項に記載のレンチ。
【請求項８】
前記平行チーク（７）および／または前記第１の窪み部分を構成する側面（５）が、グリップ力を増すために粗く形成されており、摩擦材料をコーティングされ、または鋸歯状であることを特徴とする請求項１ないし７のいずれか１項に記載のレンチ。
【発明の詳細な説明】
【技術分野】
【０００１】
本発明は、ナットまたはボルトの頭の多角形の輪郭にトルクを伝達するように部分的にかみ合って囲むための多面構成の側面を有する内部口を備え、その内部口、および各々が多角形の輪郭の端面の一部に対する停止部としての役目を果たす面を有する多面構成の側面の少なくとも２つの角と関連する半径方向の顎の開口を備えるレンチに関する。
【背景技術】
【０００２】
この種のレンチは、特許文献１から知られる。この中で、ボルトの軸のための開口を有するＤＩＮ８９８に類似のオープンボックスエンドレンチが開示されている。そのボルトの六角形の頭は多角形の面構成によって回転させられる。多角形の面構成の角領域には停止ボールがあり、それは内部口における軸の保持のためにボルトの頭における六角形の横断面の端面部とかみ合う。
【０００３】
特許文献２には、六角形の輪郭の形状を有するボルトの頭に適合するソケットが記載されている。この工具はソケットと呼ばれるが、その内側の横断面は軸方向の上下に２つの横断面を有する。開口に隣接する横断面は全部で１２重の対象性と１２の角のある切り込みを有し、それらはボルトの頭の六角形の横断面の合計６つの六角形の角に対応する。ボルトの頭がレンチの開口に挿入されるとき、一つおきに角のある切り込みが六角形の角によって占められる。第２の横断面は開口から少し離れており、６重の対象性のみを有し、特に六角形の内部形状である。この六角形の内部横断面は引き延ばされた角のある切り込みによって形成される。結果的に、これらの引き延ばされた角のある切り込みの間に、より短い角のある切り込みがあり、それらは端部で閉じられる。材料のこれらの部分は角のある切り込みを閉じるが、六角形の角が短い角のある切り込みに挿入されるとき、これらは六角形の横断面の端面部に対する停止部の役割を果たす３つの側面を与える。従って、ボルトの頭の六角形の横断面は、３０°ずつ異なる２つの角度位置でソケットの開口に挿入されることができる。従って、それはソケットの中により深く、より浅く延びる。
【０００４】
ボックスエンドレンチに関するものであるが、同様の顎の配置が特許文献３に記載されている。その中で、六角形の横断面の角度位置に依存してボルトの頭は停止位置にあるか、または顎の開口を通って挿入されることができる。
【０００５】
特許文献４は、多角形の内部横断面を有するラチェットレンチを開示する。それは、軸方向に隣り合って配置された２つの異なる断面部から成る。第１の断面部は１２重の対象性を持つ。第２の断面部は６重の対象性を持つ。それで、第１の角度位置でナットは停止部に接し、第２の角度位置でナットはレンチの開口を通って挿入されることができる。
【先行技術文献】
【特許文献】
【０００６】
【特許文献１】米国特許第３，６０４，１０６号明細書
【特許文献２】米国特許第５，７８２，１４８号明細書
【特許文献３】欧州特許第１  ００３  ６２７号公報
【特許文献４】米国特許第７，３４０，９８３号明細書
【発明の開示】
【発明が解決しようとする課題】
【０００７】
一般的な種類のレンチの使用分野を拡大することが本発明の目的である。
【課題を解決するための手段】
【０００８】
上記の目的は、特許請求の範囲で特定される発明により達成される。また、各請求項は、課題への独立した解決策を表し、または特に請求項１で特定される発明の個別の改善に関係する。
【０００９】
まず、多角形の輪郭にトルクを伝達するためのオープンエンドレンチの開口として顎の開口が向かい合って配置された２つの顎のチークを有し、顎のチークが（レンチの）一方の広い面においてのみ多面構成の側面の角を超えて延びることが与えられる。顎のチークは、平行チークとして形成され、六角形の横断面に基づいている。けれどもまた、それらは、１２面を持つ横断面の一部であってよく、六角形の横断面に対して動かされる。顎の開口は、六角形の横断面の平面を横切る大きさ、すなわち２つの平行チークの間の間隔に対応する幅を有する。この開口の結果として、六角形の横断面の回転軸の方へ半径方向に多角形の輪郭の六角形の面上で平行チークを押すことができる。
【００１０】
この構成の結果として、新しい種類のオープンエンド／ボックスエンドレンチが与えられる。もし平行チークがトルクを導入するための区間として使われるならば、そのとき、工具は公知のオープンエンドレンチとして使われることができる。けれどもまた、同時に３０°まで回った角度位置で軸方向にボルトの頭またはナットの上にレンチを置くことができる。そのとき、多角形の輪郭の多角形の角の領域は、顎の横断面部分とかみ合い、いずれの場合にも１つ、好ましくは２つの側面を定義する。そのとき、停止ボールは有していないが、工具は公知のオープンボックスエンドレンチとして使われる。その代わりに、停止部が平行チークの一部によって形成される。
【００１１】
好ましくは、顎の横断面部分の２つの側面が角のある切り込みを形成する。この角のある切り込みの３番目の面がいずれの場合にも六角形の横断面の端面部分のための停止部を形成する。それでレンチは軸方向に固定される。同時に、ボルトの頭の直径方向に向かい合う角の領域が直径方向に向かい合う角のある切り込みとかみ合うので、レンチが半径方向に滑らないことが保証される。ボルトの頭は顎の中に半径方向に拘束された席を見出す。角のある切り込みは全部で３つの面によって定義される。その中の２つの面はトルクを導入するための区間を形成し、これらの区間はお互いに１２０°の角度である。３番目の面は、停止機能を発揮するが、これら２つの側面に直角である。
【００１２】
本発明の展開において、停止部を形成する３番目の面がスチールプレートの背面部によって定義されることが与えられる。このために硬化鋼のスチールプレートがより好ましい。スチールプレートの材料の硬度は、レンチのヘッドを形成するスチールの本体の材料の硬度よりも大きい。スチールプレートの硬度は、５０ＨＲＣ以上である。それは、５０と６０ＨＲＣの間であってよい。スチールの本体のスチールの硬度は、好ましくは３５と４９ＨＲＣの間の範囲にある。また、スチールプレートは同時に平行チークを形成し、作動アームの端に配置されたヘッドの広い面に固定して接続される。ヘッドは顎の開口を有する。
【００１３】
本発明の好ましい展開において、平行チークは別のチークに続く。別のチークは、同様にボルトの頭の六角形の表面に対してトルクを伝達するかみ合いの一部になることができ、顎の背面の領域、すなわち開口と向かい合う顎の領域で１２０°の角度で平行チークと接続される。角の窪んだ部分が同様にこれらの２つの別のチークと局部的に関連する。従って、これらの角の窪んだ部分のトルクを伝達する側面は、平行チークと空間的に関連する角度がついたチークのトルクを伝達する側面とそろえられる。
【００１４】
このように、ボルトの頭は第１の角度位置において合計４つの角のある切り込みの中の４つの角の領域で囲まれ、回転に対して動かないのみならず、また半径方向と軸方向に顎の中で固定して保持される。第１の角度位置と比べて３０°回転した第２の角度位置において、合計４つの六角形の表面がそれらに対応するチークとかみ合う。これらのチークは、スチールプレートによって与えられる。
【００１５】
スチールの本体へのスチールプレートの接続は、力によるはめ込み、または明確な接続、またはボンディング、すなわち特に接着ボンド、溶接、ピン留め、またはねじ留めによることができる。けれどもスチールの本体への接続は、スチールプレートを取り替えることができる方法を選択することが有利である。スチールプレートは、スチールの本体の材料の厚さの半分以上の大きさであることが望ましい。
【００１６】
従って、本発明に係るレンチは、ナットまたはねじの回転方向に関連して軸方向に、お互いに直接隣り合って配置された２つのトルクを導入する区間を持つ。その一つは１２端の（オープン）ボックスエンドレンチの横断面に基づいて形成され、もう一つはオープンエンドレンチの輪郭に基づいて形成される。
【００１７】
けれどもまた、１２端のボックスエンドレンチの横断面の代わりに、２４端の横断面を基礎として採用することができる。２つのトルク導入区間は軸方向に上下に配置され、ボックスエンドレンチの１２端の（オープン）横断面（または２４端の横断面）に基づいて作られるトルク導入区間に挿入されるナットは端面における２つの直径方向に向かい合う角の領域による停止部に接する。従って、このトルク導入区間に囲まれるナットは、半径方向と軸方向に固定される。
【００１８】
もし、ナットまたはボルトの頭がオープンエンドレンチの横断面に基づいて構成されたトルク導入区間とかみ合うならば、そのとき、半径方向に、そしてまた軸方向にボルトの頭またはナットの六角形の横断面の上にレンチを置くことができる。そのとき、トルクの導入は実質的にスチールプレートを介してもたらされる。レンチの顎は硬化されているので、曲がらない。
【００１９】
もう一つのトルク導入区間のチーク部分は、この動作位置において同様に、六角形の輪郭における多角形の表面にトルクを伝達するようにかみ合う。顎の開口と向き合うスチールプレートの側面は、１２０°の角度でＶ字の形状にまとまる。Ｖ字の形状で互いにまとまるこれら２つのチークは、顎の開口の方向に前方にオフセットされてよい。そして、これらの後方のチークの領域において、スチールプレートの背面部は停止部の面を形成し、その停止部の面にボルトの頭の端面の２つの完全な端部が接してもよい。
【００２０】
本発明の展開において、２つの平行チークと関連するスチールの本体の多面配置の側面が弓形部に続くことが与えられる。そのとき、これらの弓形部はスチールの本体の横の面に延び、その横の面に多角形の横断面の端領域がかみ合うことができる。
上述したように、顎の面は、また１２端の横断面の一部であってよい。そのとき、お互いに平行に延び、顎の開口を形成するチークは、１２端の顎の面の部分によって割り込まれる。この構成では、多面構成は２４端の輪郭に基づく。それで、１２端の面が停止部を形成する。
【００２１】
このような方法で形成されたレンチは、オープンエンドレンチとして、停止部を持ったボックスエンドレンチとして、そして停止部の無いボックスエンドレンチとして使われることができる。
【００２２】
以下に、添付図面を参照して本発明の実施形態を説明する。
【図面の簡単な説明】
【００２３】
【図１】作動アームを有するオープンエンドレンチのヘッドを第１の方向から見た部分斜視図である。
【図２】図１に対応し、工具を１８０°回転させた図である。
【図３】図１に示される工具の上面図である。
【図４】図１の工具の背面図である。
【図５】図３のV−V線断面図である。
【図６】図３のVI−VI線断面図である。
【図７】第１の回転位置でボルトの頭が顎に挿入されたレンチの図４に対応する図である。
【図８】第１の回転位置でボルトの頭が顎に挿入されたレンチの背面斜視図である。
【図９】図３に示される位置において、ボルトの頭の六角形の面が顎に部分的に押し込まれたレンチの図である。
【図１０】六角形の形状が顎に完全に挿入されたレンチの図９に続く図である。
【図１１】第２の角度位置におけるレンチの図８に対応する図である。
【図１２】第２の実施形態に係るレンチの図２に対応する図である。
【図１３】第３の実施形態に係るレンチの図３に対応する図である。
【図１４】第３の実施形態に係るレンチの図１に対応する図である。
【図１５】第４の実施形態に係るレンチの図３に対応する図である。
【図１６】第５の実施形態に係るレンチの第１の斜視図である。
【図１７】第５の実施形態に係るレンチの第２の斜視図である。
【図１８】第６の実施形態に係るレンチの第１の斜視図である。
【図１９】第６の実施形態に係るレンチの第２の斜視図である。
【図２０】第７の実施形態に係るレンチの第１の斜視図である。
【図２１】第７の実施形態に係るレンチの第２の斜視図である。
【図２２】第８の実施形態に係るレンチの第１の斜視図である。
【図２３】第８の実施形態に係るレンチの第２の斜視図である。
【図２４】第９の実施形態に係るレンチの第１の斜視図である。
【図２５】第９の実施形態に係るレンチの第２の斜視図である。
【図２６】第１０の実施形態に係るレンチの第１の斜視図である。
【図２７】第１０の実施形態に係るレンチの第２の斜視図である。
【図２８】第１１の実施形態に係るレンチの上面図である。
【図２９】図２８のXXIX-XXIX線に沿って部分的に切り取られた第１１の実施形態に係るレンチの側面図である。
【図３０】図２９のXXX-XXX線に囲まれた部分を抜き出した拡大図である。
【発明を実施するための形態】
【００２４】
図示される工具はスチールの本体を有し、その本体はヘッド１と、ヘッド１に一体化された作動アーム２とを持つ。作動アーム２は、図の明りょうさのために部分のみ示す。ヘッド１の２つの広い面のうちの１つは平らな材料でできており、輪郭に沿ったスチールプレート１２を備える。スチールの本体は３９から４９ＨＲＣまでの硬度を持ったスチールで作られ、スチールプレート１２は硬化プレートである。輪郭に沿った開口は、例えばプレス加工またはブローチ加工によって形成することができる。図示されるスチールプレート１２は、円弧に沿った周囲輪郭を備え、ヘッド１の広い面の中の凹部に囲まれる。けれどもまた、スチールプレート１２は、例えば回転に対して確実に固定されるように、異なる周囲形状を備えてもよい。スチールプレート１２が、ねじによってスチールの本体に接続され、スチールの本体に溶接され、またはそこに接着されることは有り得る。
【００２５】
スチールプレート１２の口３は正六角形の一部分の形状を持ち、相互に向かい合った２つの平行チーク７の間隔がその工具のレンチ寸法を決める。平行チーク７の間に位置する口３は、口を形成し、１方の側に開く。開口３’は実質的に少なくともレンチ寸法の幅を持ち、従って２つの平行チーク７の間の間隔を持つ。
【００２６】
ヘッド１は顎部分７’を持ち、顎部分７’は平行チーク７と一直線になって延びる。頂点１１は好ましくはノッチ応力を避けるために丸い部分として形成される。頂点１１において平行チーク７はチーク１０につながり、六角形のボルトの頭１３が口に挿入されるとき、平行チーク７と同様に、チーク１０はボルトの頭１３の六角形の表面と向かい合ってかみ合う。そのとき、ボルトの頭１３の六角形の角１５は頂点１１の領域に位置する。
【００２７】
図１０に示される角度位置において、平行チーク７と一直線になっているスチールの本体の顎部分７’は、ボルトの頭１３の六角形の表面１４とかみ合う。チーク１０と一直線になっているスチールの本体の顎部分１０’も同様である。
【００２８】
頂点１１と口３の開口３’とのほぼ中間であって、実質的に同じ大きさの２つの顎部分７’の間に窪んだ部分がある。これは、頂点ライン６で結合する２つの側面５と、スチールプレート１２の裏面によって形成される面４とで構成される。この種類の窪んだ部分は、２つの直径方向に対向する平行チーク７の各々に付随する。
【００２９】
また、スチールの本体の領域にあり、顎部分１０’が両側に位置する窪んだ部分は、２つのチーク１０とともに中央に配置され、各チーク１０は平行チーク７と１２０°の角度で接続される。第１の例では、２つの窪んだ部分の各々が、頂点ライン９において１２０°の角度で結合する２つの側面８によって形成され、側面５と同様にトルクを導入するための区間を形成する。また、３番目の面４’がスチールプレート１２の背面部によって形成される。面４と同様に、この面４’はボルトの頭１３の端の広い側部１６に対する停止部を形成する。
【００３０】
図３から分かるように、後部の側面５は側面８にそろえられる。窪んだ部分の側面５と８は正六角形の角の領域にあり、平行チーク７の間の間隔に対応する側面の間隔を持つ。
【００３１】
図１２に示される第２の実施形態は、スチールプレート１２がレンチのヘッド１の材料の厚さのほぼ半分に渡って延びるという点で実質的に第１の実施形態と異なる。また、本実施形態では、スチールプレート１２はヘッド１の広い面の中の凹部に取り換え可能に挿入される。図示されないねじによって固定され、そのねじはスチールの本体とスチールプレート１２の２つの広い面の一方との間の結合を確立する。好ましくは、スチールプレート１２はレンチのヘッド１の凹部に囲まれる。けれどもまた、スチールプレート１２がスチールの本体の広い面全体に渡って広がることはあり得る。この場合には、好ましくはスチールの本体の材料の厚さは、スチールプレート１２の材料の厚さと同じである。
【００３２】
けれどもまた、スチールプレート１２の材料の厚さは、平行チーク７の軸方向の延びが多面構成の側面５、８の軸方向の延びよりも大きくなるように選ばれてよい。同様に、スチールプレート１２は、平行チーク７の軸方向の延びが多面構成の側面５、８の軸方向の延びよりも小さくなるように構成されてよい。
【００３３】
本発明に係るレンチは、トルクの導入のために２つの区間を持つ。それら２つの区間は軸方向にお互いのそばに位置する。トルクの導入のための第１の区間は多面構成の側面５、８によって形成され、１２点ボックスエンドレンチの輪郭に基づいて作られる。ボックスエンドレンチの輪郭はリング開口を備えるが、そのリング開口はＤＩＮ規格に従うオープンボックスエンドレンチの場合よりも大きい。開口はオープンエンドレンチの幅に対応する幅を持つ。トルクの導入のための第２の区間はオープンエンドレンチの輪郭によって形成される。オープンエンドレンチの２つの向かい合った平行チークがナットまたはボルトの頭の六角形の横断面の端面部に対して隣接部を形成するように、トルクの導入のための２つの区間は上下に配置される。
【００３４】
図１３と図１４に示す第３の実施形態の場合には、お互いに向かい合い、Ｖ字の形状でお互いの方に延びる開口３’の２つのチークの表面は、図３に示す第１の実施形態の場合よりも小さい程度に開口３’から分離される。これは、ボルトの頭の２つの向かい合う平らな部分を平行チーク７と７’が挟み込む動作位置において、面４”の平らな面の２つの端領域がスチールプレート１２の背面部によって形成され、またその２つの端領域が覆われる結果を生じる。ボルトの頭１３の角領域を側面５と頂点ライン６で構成される顎の角度で囲む動作モードにおいて、第１の実施形態の場合よりもボルトの頭の端面のより広いエリアが覆われる。更にまた、面４’は、停止部を形成し、ボルトの頭の多角形の側面を平行チーク７が挟み込むとき、その停止部にボルトの頭の端面部が突き当たる。
【００３５】
図１５に示す第４の実施形態において、スチールの本体の多面配置の側面５はいずれの場合にも頂点ライン６で弓形部１７に続く。２つの弓形部１７は後部の側面８の頂点ライン９に続き、後部の側面８は実質的に２つの平行チーク７が延びる方向と直角に延びる。
【００３６】
この実施形態では、ボルトの頭１３は、破線で示され、２つの直径方向に配置された角領域においてスチールの本体の側面５とかみ合う。レンチ幅だけお互いから離れて配置される２つの側面５は、開口３’の前でお互いに交差する線の上に置かれるので、これらの側面５は半径方向の保持側面を形成する。側面５の反対側にスチールの本体の口の底部によって形成される横の側面８がある。
【００３７】
ボルトの頭１３は図１５に破線で示され、それはお互いから離れて向き合う２つの平面としてスチールプレート１２の平行チーク７とかみ合う。口の底部と向かい合うボルトの頭１３の端は、横の側面８と中央で接触する。スチールプレート１２の形は実質的に第１の実施形態の形に対応する。
【００３８】
更に、多角形の顎の形状は２４面の輪郭を基礎としてもよい。加えて、多角形の顎の側面５、８と平行チーク７、７’は直線である必要はない。これらの側面５、８と平行チーク７、７’は、また大きな半径の湾曲を持った弓形のラインであってよい。軸方向に上下に配置される両方の顎の表面の輪郭は、弓形部分の順次的な配置によって形成されてよい。
【００３９】
更に、平行チーク７は荒く形成されてよい。それらはうねがあってよい。それらはダイヤモンドコーティングまたは他のフリクショナルコーティングで覆われていてもよい。更にまた、平行チーク７の表面は鋸歯状であってもよい。
【００４０】
工具の働く方法は次の通りである。
図８に示すように、ナットは回転される軸を持つ。このナットは、お互いから３０°ずつ離れた２つの異なる角度位置で工具と相互に作用する。図７と図８に示す第１の角度位置では、ナット１３は顎３の側面５、８の間でスチールプレート１２から離れる側から軸方向に挿入されなければならない。このようにして、側面５と８によって形成される角の切り込みの中に全部で４つのナット１３の六角形の輪郭の角領域１５がある。そのとき、ナット１３の六角形の輪郭の角領域１５は、角の切り込みの頂点ライン６、９に対応する。 
【００４１】
レンチの顎の口３へナットを軸方向に挿入すること、またはナット１３の上に顎の口３を軸方向に置くことは停止制限された方法で達成される。図７に示すように、スチールプレート１２の裏の面４、４’は停止部としての役目を果たし、これらは広い面１６にかみ合う。
【００４２】
工具の操作の第２のモードでは、図９に示すように、顎の口３は、ナット１３の回転軸に対して半径方向にナットの六角形の表面１４で押し込まれる。このようにして、平行チーク７のみならず、またチークと一直線に合わされて延びる顎部分７’は、図１０に示す最終位置に達するまでナット１３の六角形の表面１４に沿って滑り、その位置で、合計４つの六角形の表面１４は対応する顎の表面７、１０および７’、１０’とかみ合う。
【００４３】
図示されない実施形態において、追加的なチーク１０と角度がついた顎の側面８のペアとが除外される。口３の開口３’の反対の部分、すなわち顎の底部は、この実施形態において図示される頂点９と１１を通る弓形のラインに続く。
【００４４】
図１６と図１７に示される第５の実施形態において、スチールプレート１２によって形成されるオープンエンドレンチの輪郭は、平面図の中で１２面の多角形の輪郭を持つ。ここでまた、顎の平行チーク７は、お互いに平行に延びる面として続く。けれども、お互いに平行に延びる平行チーク７は中央で割り込まれる。それらはそこで２つの向かい合う角度がついた開口を形成し、１２面のうちの多角形の２面によって定義される。また、顎の底部の中に延びる六角形の輪郭のチーク１０がいずれの場合にも１２面の輪郭のうちの面１９によって中央で割り込まれる。
【００４５】
本実施形態において、オープンエンドレンチの輪郭に対して軸方向にずらして配置される多面輪郭は平面図で２４面の多角形の形状を持つ。
【００４６】
本実施形態において、停止部としての役目を果たす面４を備えた側面５は、２４端の顎面２０と隣り合い、顎面２０はオープンエンドレンチ輪郭の１２面のチーク面１８および１９と一直線になっている。本実施形態において、ボルトの頭は顎の開口３’に半径方向に挿入される。けれどもまた、レンチがこれに対して３０°ずれた位置でナットまたはねじの頭の上に半径方向に置かれ、ねじの頭の輪郭における多角形の角が角部１９、１８および２０に挿入されてもよい。このグリップ方法の場合には、停止部としての役目を果たす面４は作用しない。ボルトの頭またはナットが１５°ずれた位置における多面配置で半径方向に挿入されるとき、面４はそれらの停止機能を果たす。
【００４７】
図１８と図１９に示す第７の実施形態において、オープンエンドレンチの輪郭は前と同じように六角形の輪郭であり、お互いに平行に延びる２つの平行チーク７から成り、チーク１０が１２０°の角度で平行チーク７に隣接する。本実施形態において、多面配置を構成する側面５と頂点ライン６は２４端輪郭に基礎をおく。参照符号２０で付加的な顎の面を示す。２４端の面２０は角の切り込みの側面であり、停止部としての役目を果たす面４がその３番目の面を形成する。従って、ボルトの頭の輪郭における３つの角度位置が可能であり、いずれの場合にも１５°ずつずれており、端面部は停止部の面４で支持される。
【００４８】
図２０と図２１に示す第７の実施形態では、弓形部１７が多面配置を構成する顎の側面５と８の間に配置される。
【００４９】
図２２と図２３に示す第８の実施形態は、弓形部が頂点ライン６の所まで延び、停止部の面４が停止部の面４’に平面的に続くという点で実質的に図２０と図２１に示す第７の実施形態と異なる。
【００５０】
図２４と図２５に示す第９の実施形態では、顎の側面５、８および１０’が丸くされる。顎の側面は真っすぐに延びず、丸くされた経路に沿う。頂点ライン６、９は、また区域によって形成される。側面と頂点ラインは、周辺の弓なりになった領域によって形成される。
【００５１】
図２６と図２７に示す第１０の実施形態では、第９の実施形態に加えて、スチールプレート１２の平行チーク７とチーク１０の間の頂点１１が丸くされる。また、平行チーク７とチーク１０は大きな半径を持った弓形のラインで延びる。
【００５２】
図２８から図３０に示す第１１の実施形態では、作動アーム２の中央グリップ部が外側に膨らんだ湾曲を持つ。ヘッド１の近くに、親指のためのへこんだグリップ領域２１がある。そして、グリップ領域２１でレンチの幅にへこみをつける。
更に、表面の手触りを改善するために、親指のためのへこんだグリップ領域２１の中に材料の突出がある。
【００５３】
スチールプレート１２は、ねじ２３によってヘッド１に固定される。ねじ２３は、スチールプレート１２の皿穴が開いたねじ固定開口２２に挿入され、ヘッドの固定穴２４の内側のねじ山にねじ込まれる。ここで、スチールプレート１２はヘッドの広い面の中の凹部に囲まれる。上述した実施形態に比べて、スチールプレート１２は平面図において異なる形状を持つのみである。スチールプレート１２の外側の周辺端は２つの端部１２’を持つ。２つの端部１２’は、実質的に直線で延び、実質的にお互いに直角であり、丸く形成された頂点でお互いに結合する。この頂点の領域に、ねじ固定開口２２があり、ねじ２３はねじ固定開口２２を通る。
【００５４】
作動アーム２は、顎の口３の反対の端に多数の面で形成されるリング開口を有するラチェット配置を備える。リング開口は顎の口３と平面を横切って同じ幅を持つ。ラチェットのフリー回転方向はピボットレバーによって変えることができる。
【００５５】
開示された全ての特徴は、（それら自体で）本発明に関連する。関連する／添付の優先権書類（先の出願のコピー）の開示内容もまたこれによって、本願の特許請求の範囲においてこれらの書類における特徴を統合する目的も含めて、その全体を本願の開示に含める。
【符号の説明】
【００５６】
１…ヘッド
２…作動アーム
３…口
４…停止部としての役目を果たす面
５…側面
６…頂点ライン
７…平行チーク
８…側面
９…頂点ライン
１０…チーク
１１…頂点
１２…スチールプレート
１３…ボルトの頭
１４…六角形の表面
１５…六角形の輪郭の角領域
１６…広い側部
１７…弓形部
１８…チーク面
１９…チーク面
２０…２４端の面
２１…へこんだグリップ領域
２２…ねじ固定開口
２３…ねじ
２４…固定穴
【図１】
0005506816.tif 000002
【図２】
0005506816.tif 000003
【図３】
0005506816.tif 000004
【図４】
0005506816.tif 000005
【図５】
0005506816.tif 000006
【図６】
0005506816.tif 000007
【図７】
0005506816.tif 000008
【図８】
0005506816.tif 000009
【図９】
0005506816.tif 000010
【図１０】
0005506816.tif 000011
【図１１】
0005506816.tif 000012
【図１２】
0005506816.tif 000013
【図１３】
0005506816.tif 000014
【図１４】
0005506816.tif 000015
【図１５】
0005506816.tif 000016
【図１６】
0005506816.tif 000017
【図１７】
0005506816.tif 000018
【図１８】
0005506816.tif 000019
【図１９】
0005506816.tif 000020
【図２０】
0005506816.tif 000021
【図２１】
0005506816.tif 000022
【図２２】
0005506816.tif 000023
【図２３】
0005506816.tif 000024
【図２４】
0005506816.tif 000025
【図２５】
0005506816.tif 000026
【図２６】
0005506816.tif 000027
【図２７】
0005506816.tif 000028
【図２８】
0005506816.tif 000029
【図２９】
0005506816.tif 000030
【図３０】
0005506816.tif 000031